(57)【要約】【課題】比較的簡単な構成で、グローブへ緊締状態にて接合することが容易であって、組み付け構築作業を迅速且つ低コストにて行うことができる木製トラス骨組部材を提供することを課題とする。【解決手段】木口中心部から内に延びるオネジ杆挿入孔２を穿設した木製トラス材１を設け、その幅方向一側面から他側面に延びてオネジ杆挿入孔２に直交するメネジ筒挿入孔３、４を設け、メネジ筒挿入孔３、４内に、挿入時においてオネジ杆挿入孔２と連通状態となるネジ穴８、９を形成したメネジ筒６、７を嵌装し、また、オネジ杆挿入孔２内に、オネジ杆５を挿入し、その挿入端側をネジ穴８、９にねじ込むことによってオネジ杆５とメネジ筒６、７とが連結されて、オネジ杆５のオネジ杆挿入孔２からの抜け、並びに、メネジ筒６、７のメネジ筒挿入孔３、４からの抜けが防止され、オネジ杆５のオネジ杆挿入孔２からの突出端部にグローブ１２が組み付けられて成る。【選択図】図１
2009281027.tif 000002
【特許請求の範囲】
【請求項１】
木口中心部から内に延びる適宜深さのオネジ杆挿入孔を穿設した木製トラス材を設け、前記木製トラス材に、その幅方向一側面から他側面に延びて前記オネジ杆挿入孔に直交するメネジ筒挿入孔を少なくとも１つ設け、前記メネジ筒挿入孔内に、挿入時において前記オネジ杆挿入孔と連通状態になるようにネジ穴を形成したメネジ筒を嵌装し、また、前記オネジ杆挿入孔内に、少なくとも両端部にオネジを切ったオネジ杆を挿入し、その挿入端側を前記メネジ筒のネジ穴にねじ込むことによって前記オネジ杆と前記メネジ筒とが連結されて、前記オネジ杆の前記オネジ杆挿入孔からの抜け、並びに、前記メネジ筒の前記メネジ筒挿入孔からの抜けが防止され、前記オネジ杆の前記オネジ杆挿入孔からの突出端部にグローブが組み付けられて成る木製トラス骨組部材。
【請求項２】
前記メネジ筒挿入孔は複数、それぞれ穿孔向きを変えて形成される、請求項１に記載の木製トラス骨組部材。
【請求項３】
前記グローブの組み付けは、前記木製トラス材の木口から突出する前記オネジ杆の突出端部を締込みナットにねじ込み、前記締込みナットの反対側に、前記グローブから突出する短ボルトをねじ込むことによって行う、請求項１又は２に記載の木製トラス骨組部材。
【請求項４】
前記グローブの組み付けは、一半部と他半部とでねじ切り方向を逆にした締込みナットを用いて行い、その緊締は、前記木製トラス材の木口から突出する前記オネジ杆の突出端部を締込みナットの一端部に少しねじ込み、また、前記締込みナットの反対側に、前記グローブから突出する短ボルトを少しねじ込んだ後、前記締込みナットを一方向に回すことによって行う、請求項１又は２に記載の木製トラス骨組部材。
【請求項５】
前記グローブの組み付けは、締込みナットに短ボルトをその一部を露出させてねじ込んでおき、前記締込みナットの前記短ボルト固定側と反対の側を、前記木製トラス材の木口から突出する前記オネジ杆の突出端部にねじ込み、次いで、前記締込みナットから突出する短ボルトの先端を前記グローブに当接させて前記締込みナットを回すことにより、前記短ボルトを前記グローブにねじ込んでいくことによって行う、請求項１又は２に記載の木製トラス骨組部材。
【請求項６】
前記締込みナットの外側面から、先端が前記締込みナット内の前記オネジ杆又は短ボル
トに当たるように回り止めネジをねじ込む、請求項３乃至５のいずれかに記載の木製トラス骨組部材。
【発明の詳細な説明】
【技術分野】
【０００１】
本発明は木製トラス骨組部材、より詳細には、体育館、大型展示場、公的施設等の大空
間を有するトラスドーム等の建築物を構築するための立体トラス、ラチス梁等に用いる部
材で、トラス材として木材を用いた木製トラス骨組部材に関するものである。
【背景技術】
【０００２】
体育館、大型展示場、公的施設等の大空間を有する建築物のドーム屋根等を構築するた
めに、立体トラスが用いられる。立体トラスは、各節点がピン結合され、各部材が三角形
を構成するような骨組で、立体に形成されたもので、従来そのトラス材としては、鉄骨材
が用いられることが多かった（例えば、特開平７−８２７９４号公報及び特開平８−３０
２８１１号公報）。
【０００３】
然るに、近時、鉄骨材の代わりに、人に安らぎを与える木材をトラス材とした木製トラ
スが実用化されてきている。この木製トラスは、木製トラス材３０の両端に、グローブジ
ョイント３１に結合するための金物３２を固定した構成単位を、多数連結して構築される
（図１０参照）。
【０００４】
例えば上記金物３２は、木製トラス材３０の端部両側面に形成される切り込み３３に嵌
着される挟持部３４と、挟持部の中央部に設けられて、木製トラス材３０の中央部に形成
されるスリット３５に挿入される長尺の挿入部３６と、挟持部３４の挿入部３６と反対側
に、スリーブ３７を備えた継手結合手段３８を設置して成る。
【０００５】
挿入部３６には２個のピン孔が透設され、木製トラス材３０には、ピン孔に連通するピ
ン挿通孔３９が貫設され、ピン挿通孔３９からピン孔を通してピンを打ち込み、エポキシ
樹脂を加圧注入してピンを固定することにより、金物３２を木製トラス材３０の端部に固
定する。
【０００６】
【特許文献１】特開平７−８２７９４号公報
【特許文献２】特開平８−３０２８１１号公報
【特許文献３】特開２００３−３０１５２５号公報
【発明の開示】
【発明が解決しようとする課題】
【０００７】
上記従来の木製トラス材接合方法の場合はピン挿通孔とピン孔にピンを打ち込み、これ
を樹脂を注入して固定していたが、その場合、ピン挿通孔とピン孔を合致させることが容
易ではなく、作業に手間がかかり、コスト的にも問題があった。
【０００８】
そこで本発明は、比較的簡単な構成で、グローブへ緊締状態にて接合することが容易で
あって、組み付け構築作業を迅速且つ低コストにて行うことができる木製トラス骨組部材
を提供することを課題とする。
【課題を解決するための手段】
【０００９】
上記課題を解決するための請求項１に係る発明は、木口中心部から内に延びる適宜深さ
のオネジ杆挿入孔を穿設した木製トラス材を設け、前記木製トラス材に、その幅方向一側
面から他側面に延びて前記オネジ杆挿入孔に直交するメネジ筒挿入孔を少なくとも１つ設
け、前記メネジ筒挿入孔内に、挿入時において前記オネジ杆挿入孔と連通状態になるよう
にネジ穴を形成したメネジ筒を嵌装し、また、前記オネジ杆挿入孔内に、少なくとも両端
部にオネジを切ったオネジ杆を挿入し、その挿入端側を前記ネジ穴にねじ込むことによっ
て前記オネジ杆と前記メネジ筒とが連結されて、前記オネジ杆の前記オネジ杆挿入孔から
の抜け、並びに、前記メネジ筒の前記メネジ筒挿入孔からの抜けが防止され、前記オネジ
杆の前記オネジ杆挿入孔からの突出端部にグローブが組み付けられて成る木製トラス骨組
部材である。
【００１０】
前記メネジ筒挿入孔を複数設ける場合は、それぞれ穿孔向きを変えることが好ましい。
また、前記グローブの組み付けは、前記木製トラス材の木口から突出する前記オネジ杆の
端部を締込みナットにねじ込み、前記締込みナットの反対側に、前記グローブから突出す
る短ボルトの端部をねじ込むことによって行う。
【００１１】
前記グローブの組み付けは、一半部と他半部とでねじ切り方向を逆にした締込みナットを用いて行い、その緊締は、前記木製トラス材の木口から突出する前記オネジ杆の突出端部を締込みナットの一端部に少しねじ込み、また、前記締込みナットの反対側に、前記グローブから突出する短ボルトを少しねじ込んだ後、前記締込みナットを一方向に回すことによって行うことができる。
【００１２】
また、前記グローブの組み付けは、締込みナットに短ボルトをその一部を露出させてね
じ込んでおき、前記締込みナットの前記短ボルト固定側と反対の側を、前記木製トラス材の木口から突出する前記オネジ杆の突出端部にねじ込み、次いで、前記締込みナットから突出する短ボルトの先端を前記グローブに当接させて前記締込みナットを回すことにより、前記短ボルトを前記グローブにねじ込んでいくことによって行うこともある。
【００１３】
更に、好ましい実施形態においては、前記締込みナットの外側面から、先端が前記締込みナット内の前記オネジ杆又は前記短ボルトに当たるように、回り止めネジがねじ込まれる。
【発明の効果】
【００１４】
本発明は上述したとおりであって、比較的簡単な構成で、メネジ筒挿入孔にメネジ筒を装入し、そのネジ穴にオネジ杆挿入孔から挿入したオネジ杆をねじ込むことによりオネジ杆を固定することができ、また、オネジ杆とグローブの連結を、締付けナットの単一締付け動作で行うことができ、以て木製トラス材をグローブへ緊締状態にて容易に接合できるので、施工作業を容易、迅速且つ低コストにて行うことができる効果がある。
【発明を実施するための最良の形態】
【００１５】
本発明を実施するための最良の形態につき、添付図面に依拠して説明する。図１は、本発明に係る木製トラス骨組部材の構成を示す分解図で、図中１は木製トラス材であって、通例断面が四角形の棒材であるが、断面形状はそれに限らず、円形や六角形等であってもよい。
【００１６】
木製トラス材１には、その両端面（木口）の中央部からオネジ杆挿入孔２が適宜深さ穿設される。また、木製トラス材１には、その幅方向一側面から他側面に抜けて、オネジ杆挿入孔２と直交するメネジ筒挿入孔３、４が、１個又は複数貫設される。メネジ筒挿入孔３、４を複数設ける場合は、それぞれ穿孔角度を変えることが好ましい。図示した例では、２つのメネジ筒挿入孔３、４が９０度向きを変えて穿設されている。メネジ筒挿入孔３、４の径は、オネジ杆挿入孔２内に差し込まれるオネジ杆５の径よりも大となるように設計される。
【００１７】
オネジ杆挿入孔２内に挿入されるオネジ杆５は、その一端部が露出する状態にされる。また、メネジ筒挿入孔３、４には、それぞれメネジ筒６、７が嵌装される。メネジ筒６、７には、それぞれその一側面から他側面に抜けるネジ穴８、９が形成される。ネジ穴８、９の径は、オネジ杆５の径に対応させる。メネジ筒６、７の高さは、木製トラス材１の幅径と同じかそれよりも小となるようにし、メネジ筒挿入孔３、４への挿入時に、木製トラス材１からはみ出ないようにする。
【００１８】
オネジ杆５を木製トラス材１に取り付けるに当っては、先ずメネジ筒挿入孔３、４内にメネジ筒６、７を挿入し、次いで、オネジ杆挿入孔２内にオネジ杆５を挿入し、その先端を手前側のメネジ筒６のネジ穴８にねじ込んでいく。その際、必要に応じてメネジ筒６を、適宜手段で浮上状態にする。そして、オネジ杆５がメネジ筒６を突き抜けた後、更に螺進させて先端を奥側のメネジ筒７のネジ穴９にねじ込み、同様にメネジ筒７を貫通させる。かくしてオネジ杆５はメネジ筒６、７に確固と固定され、オネジ杆挿入孔２から抜けなくなる。
【００１９】
上記固定状態において、オネジ杆５の端部はオネジ杆挿入孔２から少し突出するように設定され、該突出部１０に、締込みナット（高ナット）１１を介してグローブ１２が取り付けられる。グローブ１２は複数のメネジ孔１３を有する一般的なもので、メネジ孔１３に短ボルト１４の一半部がねじ込まれ、短ボルト１４の他半部が締込みナット１１にねじ込まれる。
【００２０】
かくして締込みナット１１を締め付け方向に回転させると、オネジ杆５と短ボルト１４とが互いに締込みナット１１内に引き込まれて緊締状態になり、逆に緩め方向に回転させると、オネジ杆５と短ボルト１４とが互いに離れて緊張が緩むことになる。なお、木製トラス材１の端面（木口）保護のため、木口に木口プレート１５を固定しておくことが好ましい。木口プレート１５の中心には、オネジ杆５を挿通させるための円孔が形成される。
【００２１】
上記構成の本発明に係る木製トラス骨組部材の組み付け手順をより詳細に説明すると、先ず、締込みナット１１を、オネジ杆５の木製トラス材１から突出している突出部１０にねじ付ける（図２）。そのねじ付けは、強く行う必要はない。そして、メネジ孔１３の１つに短ボルト１４の一部をネジ込んだグローブ１２の当該短ボルト１４の先端を、締込みナット１１の開口に当接させる。その際、締込みナット１１の開口端部を外開きテーパにしておくと、短ボルト１４の先端を締込みナット１１の開口内に進入させて螺合させることが容易となる。
【００２２】
その状態で締込みナット１１を適量回し、短ボルト１４が締込みナット１１に確実に螺合したことを確認した後（図３）、締込みナット１１を、グローブ１２に当たるまで締め込んで、締め付け完了となる（図４）。なお、必要に応じ、締込みナット１１にその外側面から回り止めネジ（ビス）１６を、先端がオネジ杆５に強く当たるまでねじ込むことにより、締込みナット１１とオネジ杆５との間のガタ付きを防止することができる（図５）。
【００２３】
上記実施形態においては、短ボルト１４は予めグローブ１２にねじ付けられていたが、図６乃至図８に示す実施形態においては、短ボルト１４は予め締込みナット１１の方にねじ付けられ、回り止めネジ１６によって固定される。
【００２４】
この実施形態の場合は、先ず短ボルト１４が取り付けられた締込みナット１１を、木製トラス材１から突出しているオネジ杆５の突出部１０にねじ付ける（図７）。次いで、グローブ１２を短ボルト１４の露出部に当接させ、締込みナット１１を回してそれと一体の短ボルト１４をグローブ１２のメネジ孔にねじ込んでいく。その際、グローブ１２にねじ込まれる量と締込みナット１１から抜けていく量とは反比例するので、締込みナット１１がグローブ１２に接するまで締め込んだ際に、締込みナット１２とオネジ杆５の掛かりしろが十分確保されるように設定する必要がある。
【００２５】
更に別の実施形態においては、締込みナット１１の一半部と他半部とが、逆ねじに螺刻される（図９）。この場合、締込みナット１１の一端にオネジ杆５の突出端部を少しねじ込み、その他端にグローブ１２の短ボルト１４を少しねじ込む。その状態で締込みナット１１を回すと、ターンバックルと同様の作用にて、オネジ杆５と短ボルト１４が締込みナット１１内に引き込まれて緊張する。また、締込みナット１１を逆方向に回すと、オネジ杆５と短ボルト１４が共に締込みナット１１から出ていき、次第に緊張状態が緩んでいく。
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２７】
【図１】本発明に係る木製トラス骨組部材の一実施形態の構成を示す分解図である。
【図２】図１に示す木製トラス骨組部材の組付け手順の第１を示す図である。
【図３】図１に示す木製トラス骨組部材の組付け手順の第２を示す図である。
【図４】図１に示す木製トラス骨組部材の組付け手順の第３を示す図である。
【図５】図１に示す木製トラス骨組部材の組付け手順の第４を示す図である。
【図６】本発明に係る木製トラス骨組部材の他の実施形態の構成を示す分解図である。
【図７】図６に示す木製トラス骨組部材の組付け手順の第１を示す図である。
【図８】図６に示す木製トラス骨組部材の組付け手順の第２を示す図である。
【図９】本発明に係る木製トラス骨組部材の更に他の実施形態の構成を示す分解図である。
【図１０】従来の木製トラス骨組部材の構成例を示す図である。
【符号の説明】
【００２８】
１      木製トラス材
２      オネジ杆挿入孔
３、４  メネジ筒挿入孔
５      オネジ杆
６、７  メネジ筒
８、９  ネジ穴
１０    突出部
１１    締込みナット
１２    グローブ
１３    メネジ孔
１４    短ボルト
１５    木口プレート
１６    回り止めネジ
【図１】
2009281027.tif 000003
【図２】
2009281027.tif 000004
【図３】
2009281027.tif 000005
【図４】
2009281027.tif 000006
【図５】
2009281027.tif 000007
【図６】
2009281027.tif 000008
【図７】
2009281027.tif 000009
【図８】
2009281027.tif 000010
【図９】
2009281027.tif 000011
【図１０】
2009281027.tif 000012